(57)【要約】【課題】  有用な偏光板の等級付け方法を提供する。【解決手段】  偏光板より第１の測定範囲Ａ１を選出し、Ｘ１℃の下で偏光板をＹ１時間放置後に範囲Ａ１を測定して最大色彩度値Ｚ１ｍａｘと最小色彩度値Ｚ１ｍｉｎとをそれぞれ取得し、両者間で減算して正味の色彩度差値Ｗ１を取得する工程を終了した後、温度変化させてＸ２℃の下で偏光板をＹ２時間放置してから、再び第１の測定範囲Ａ１を測定し、再度、最大色彩度値Ｚ２ｍａｘと最小色彩度値Ｚ２ｍｉｎとをそれぞれ取得し、両者間で減算してから正味の色彩度差値Ｗ２を取得する工程を終え、この工程からのＷ２より前記工程からのＷ１を差し引いて得られた数値をＷ１によって割ることで偏光板等級付け指数Ｑ（Ｑ＝（Ｗ２−Ｗ１／Ｗ１）を取得し、この指数Ｑを基にして偏光板の等級付け行なう。【選択図】図５
2005258396.tif 000002
【特許請求の範囲】
【請求項１】
偏光板を提供するステップ（Ａ）と、
前記偏光板において第１の測定範囲Ａ１ を選出するステップ（Ｂ）と、
前記偏光板に対し初期測定を実行し、Ｘ１℃の下で前記偏光板をＹ１時間放置した後に、前記第１の測定範囲Ａ１を測定することによって最大色彩度値Ｚ１ｍａｘと最小色彩度値Ｚ１ｍｉｎとを取得し、両者間で減算を行った後に正味の色彩度差値Ｗ１＝Ｚ１ｍａｘ−Ｚ１ｍｉｎを取得するステップ（Ｃ）と、
再び偏光板に対し温度変化測定を実行し、Ｘ２℃の下で、且つＸ２≠Ｘ１の状況下で、前記偏光板をＹ２時間放置した後に、再び第１の測定範囲Ａ１を測定することによって最大色彩度値Ｚ２ｍａｘと最小色彩度値Ｚ２ｍｉｎとを取得し、両者間で減算を行った後に正味の色彩度差値Ｗ２＝Ｚ２ｍａｘ−Ｚ２ｍｉｎを取得するステップ（Ｄ）と、
前記温度変化測定ステップにおいて取得した正味の色彩度差値Ｗ２より初期測定ステップにおいて取得した正味の色彩度差値Ｗ１を差し引いてから、正味の色彩度差値Ｗ１ によって割ることで、偏光板等級付け指数Ｑ＝（Ｗ２−Ｗ１）／Ｗ１ を取得して偏光板を等級付けするステップ（Ｅ）と、
を少なくとも有することを特徴とする偏光板の等級付け方法。
【請求項２】
前記第１の測定範囲の最大と最小の色彩度値に替えて、最大と最小のルクス値によって測定して偏光板等級付け指数Ｑを取得することを特徴とする請求項１に記載の偏光板の等級付け方法。
【請求項３】
前記初期測定ステップにおいて、Ｘ１は当地室温であり、Ｙ１は０〜２４時間の範囲になることを特徴とする請求項１に記載の偏光板の等級付け方法。
【請求項４】
前記温度変化測定ステップにおいて、Ｘ２は６０〜１２０℃に設定され、Ｙ２は１〜１６８時間の範囲に設定されることを特徴とする請求項１に記載の偏光板の等級付け方法。
【請求項５】
前記温度変化測定ステップにおいて、さらに複数の温度変化過程を含めることができるようにしたことを特徴とする請求項１に記載の偏光板の等級付け方法。
【請求項６】
偏光板を提供するステップ（Ａ）と、
前記偏光板において第１の測定範囲Ａ１を選出するステップ（Ｂ）と、
前記偏光板に対し初期測定を実行し、Ｘ１℃の下で前記偏光板をＹ１時間放置した後に、前記第１の測定範囲Ａ１を測定することによって最大色彩度値Ｚ１ｍａｘと最小色彩度値Ｚ１ｍｉｎとを取得し、且つ両者の間で減算を行った後に正味の色彩度差値Ｗ１＝Ｚ１ｍａｘ−Ｚ１ｍｉｎを取得するステップ（Ｃ）と、
偏光板に対し温度変化操作を実行し、Ｘ２℃の下で、且つＸ２≠Ｘ１の状況下で前記偏光板をＹ２時間放置するステップ（Ｄ）と、
偏光板に対し復元測定を実行し、Ｘ３℃の下で前記偏光板をＹ３時間放置した後に、再び第１の測定範囲Ａ１を測定することによって最大色彩度値Ｚ３ｍａｘと最小色彩度値Ｚ３ｍｉｎとを取得し、両者間で減算を行った後に正味の色彩度差値Ｗ３＝Ｚ３ｍａｘ−Ｚ３ｍｉｎを取得するステップ（Ｅ）と、
前記復元測定のステップにおいて取得した正味の色彩度差値Ｗ３より初期測定ステップにおいて取得した正味の色彩度差値Ｗ１を差し引いてから、正味の色彩度差値Ｗ１によって割ることで、偏光板等級付け指数Ｑ＝（Ｗ３−Ｗ１）／Ｗ１ を取得して偏光板を等級付けするステップ（Ｆ）と、
を少なくとも有することを特徴とする偏光板の等級付け方法。
【請求項７】
前記第１の測定範囲の最大と最小の色彩度値に替えて、最大と最小のルクス値によって測定して偏光板等級付け指数Ｑを取得することを特徴とする請求項６に記載の偏光板の等級付け方法。
【請求項８】
前記初期測定ステップにおいて、Ｘ１は当地室温であり、Ｙ１は０〜２４時間の範囲に設定されるようになることを特徴とする請求項６に記載の偏光板の等級付け方法。
【請求項９】
前記温度変化測定ステップにおいて、Ｘ２は６０〜１２０℃に設定され、Ｙ２は１〜１６８時間の範囲にに設定されることを特徴とする請求項６に記載の偏光板の等級付け方法。
【請求項１０】
前記温度変化測定ステップにおいて、さらに複数の温度変化過程を含めることができるようにした特徴とする請求項６に記載の偏光板の等級付け方法。
【請求項１１】
前記復元測定ステップにおいて、Ｘ３は当地室温であり、Ｙ３は０〜２４時間の範囲に設定されることを特徴とする請求項６に記載の偏光板の等級付け方法。
【発明の詳細な説明】
【技術分野】
【０００１】
本発明は、偏光板の等級付け方法に関し、特に、偏光板の温度変化（気候耐久試験）した後に測定した色彩度差値から偏光板の初期状態の色彩度差値を引いて得た正味の色彩度差値を、偏光板の初期状態の色彩度差値にて割り、その取得した数値に基づいて偏光板の等級付けする方法に関するものである。
【背景技術】
【０００２】
液晶表示器は、高画質で、小型で軽量であるとともに、低電圧駆動特性や、低消費効率特性など、広範な用途範囲を有する優れた点を有するので、中小型の携帯式テレビや、携帯電話、デジタル・ビデオやノートブック型コンピュータ、デスクトップ型ディスプレイ、或いはプロジェクターなどの省電力性の家庭用電化製品やコンピュータ製品に広範に利用されており、ディスプレイの主流製品として徐々に従来のブラウン管（カソード・レイ・チューブ（ＣＲＴ））に代わりつつある。液晶表示器の場合、偏光板（Polarizing Plate）または偏光膜（Polarizing Film）がその主要な部材の一つであり、その偏光板１０（図１参照）の機能は、不特定方向の光線をろ過して除去し、特定方向の光線（偏光化光線：polarized light）にする、というものである。
【０００３】
一枚のＬＣＤ基板に上下二枚の偏光板１０を配置すると、上下二枚の偏光板１０の偏光化された光線の方向が互いに相互に直交するようになる。すると、図１の（Ａ）に示すように、下方の偏光板１０を通る光線は上方の偏光板１０を通過することができない（暗黒色に現われる）。しかし、電圧によって中間層の液晶２０の方向を旋回させるように調整制御すれば、その偏光化光線の方向を再度９０度転換させることができ、上方の偏光板１０を通過するようになる（輝いた白色光に現われる）。
このようにして、図１の（Ｂ）に示すように、パネルに光線の明るさの変化を生成させることができるようになる。簡単に言えば、偏光板１０の主要な作用は、通常の偏り性のない自然光線（偏光されていない光線）を偏光化光線へ変換させ、その光を液晶２０に入射させて、偏光化表示の特性をアピールさせるものである。
【０００４】
しかしながら、偏光板１０自体の材料特性の影響によって、偏光板１０の組立て工程中に、あるいは使用中に、色彩度が不均一になる現象（色彩度むら）が回避できないという問題が生じてしまい、特に縁部の色彩度むらが最も頻繁に生じるのである。
【０００５】
図２に示すように、明るさの差の程度と色彩の分布の不均一さに基づいて、偏光板は、大体、Ｍ１’，Ｍ２’，Ｍ３’，Ｍ４’の４色のブロックに区分できる。色彩度の不均一の問題については、現在の偏光板のマーケットには、公的に認定される測定標準がなく、それぞれのメーカの測定標準がまちまちな上に、他のメーカの測定結果を受け入れることもできないので、その結果、常に売買双方の間で問題を招くことになる。
従って、本発明のマーケット分野において、上述したそれぞれの課題を解消するために、偏光板の等級付け方法を標準化する必要がある。
【発明の開示】
【発明が解決しようとする課題】
【０００６】
そのため、本発明の解決しようとする主要な課題は、一種の偏光板の等級付け方法を提供することであり、主に、偏光板の温度変化（気候耐久試験）した後に測定した色彩度差値から偏光板の初期状態の色彩度差値を引いて得た正味の色彩度差値を、偏光板の初期状態の色彩度差値にて割り、その取得した数値に基づいて偏光板の等級付けする方法を提供するものである。
【０００７】
また、本発明の第二の解決しようとする課題は、一種の偏光板の等級付け方法を提供することであり、それは、偏光板の温度変化（気候耐久試験）した後に測定したルクス（ｌｕｘ；照度単位（illuminance unit）、即ち、foot-candle（ｆｃ）であり、一つの作業面が受け取る入射光の通過量の密度として限定される、単位転換は、１ｆｃ＝１０.７６ｌｕｘ）の差値から、偏光板の初期状態のルクス差値を引いて得た正味のルクス差値を、偏光板の初期状態の色彩度差値によって割って得た数値に基づいて偏光板の等級付けをする方法である。
【０００８】
また、本発明の他の目的は、一種の偏光板の等級付け方法を提供することであり、それは、偏光板の温度変化（気候耐久試験）した後に測定したルクス差値から偏光板の初期状態のルクス差値を引くことによって得た正味のルクス差値を、偏光板の初期状態の色彩度差値によって割って得た数値に基づいて偏光板の等級付けをする方法である。
【０００９】
また、本発明の更に他の目的は、一種の偏光板の等級付け方法を提供することであり、それは、偏光板が温度変化（気候耐久試験）から室温へ復元した後に測定した色彩度差値から、偏光板の初期状態の色彩度差値を引いて得た正味の色彩度差値を、偏光板の初期状態の色彩度差値によって割って得た数値に基づいて偏光板の等級付けをする方法である。
【００１０】
また、本発明のまた更なる目的は、一種の偏光板の等級付け方法を提供することであり、それは、偏光板が温度変化（気候耐久試験）から室温へ復元した後に測定したルクス差値から、偏光板の初期状態のルクス差値を引いて得た正味のルクス差値を、偏光板の初期状態の色彩度差値によって割って得た数値に基づいて偏光板の等級付けをする方法である。
【課題を解決するための手段】
【００１１】
前記のそれぞれの課題を解消するために、且つ前記それぞれの目的を図るために、本発明は、
偏光板を提供するステップ（Ａ）と、
前記偏光板において第一の測定範囲Ａ１を選出するステップ（Ｂ）と、
前記偏光板に対し初期測定を実行し、Ｘ１℃の下で偏光板をＹ１時間放置後に、前記第一の測定範囲Ａ１を測定することによって最大色彩度値Ｚ１ｍａｘと最小色彩度値Ｚ１ｍｉｎとを取得し、両者間で減算を行った後にネット色彩度差値Ｗ１＝Ｚ１ｍａｘ−Ｚ１ｍｉｎを取得するステップ（Ｃ）と、
再び偏光板に対し温度変化測定を実行し、Ｘ２℃の下で、且つＸ２≠Ｘ１の状況下で偏光板をＹ２時間放置した後に、再び第一の測定範囲Ａ１を測定することによって最大色彩度値Ｚ２ｍａｘと最小色彩度値Ｚ２ｍｉｎとを取得し、且つ両者を減算した後にネット色彩度差値Ｗ２＝Ｚ２ｍａｘ−Ｚ２ｍｉｎを取得するステップ（Ｄ）と、
前記温度変化測定のステップにおいて取得する正味の色彩度差値Ｗ２より前記初期測定ステップにおいて取得する正味の色彩度差値Ｗ１を差し引いてから、ネット色彩度差値Ｗ１によって割り、偏光板等級付け指数Ｑ＝（Ｗ２−Ｗ１）／Ｗ１を取得することによって偏光板を等級付けするステップ（Ｅ）と、
を少なくとも有する偏光板の等級付け方法を提供する。
【００１２】
また、前記のそれぞれの課題を解消するために、且つ前記それぞれの目的を図るために、本発明は、
偏光板を提供するステップ（Ａ）と、
前記偏光板において第一の測定範囲Ａ１を選出するステップ（Ｂ）と、
前記偏光板に対し初期測定を実行し、Ｘ１℃の下で偏光板をＹ１時間放置後に、前記第一の測定範囲Ａ１を測定することによって最大色彩度値Ｚ１ｍａｘと最小色彩度値Ｚ１ｍｉｎとを取得し、且つ両者を減算した後にネット色彩度差値Ｗ１＝Ｚ１ｍａｘ−Ｚ１ｍｉｎを取得するステップ（Ｃ）と、
また、偏光板に対し温度変化操作を実行し、Ｘ２℃の下で、且つＸ２≠Ｘ１の状況下で偏光板をＹ２時間放置するステップ（Ｄ）と、
また、偏光板に対し復元測定をＸ３℃の下で実行し、前記偏光板をＹ３時間放置後に、再び第一の測定範囲Ａ１を測定することによって最大色彩度値Ｚ３ｍａｘと最小色彩度値Ｚ３ｍｉｎとを取得し、且つ両者の間で減算を行った後にネット色彩度差値Ｗ３＝Ｚ３ｍａｘ−Ｚ３ｍｉｎを取得するステップ（Ｅ）と、
前記復元測定のステップにおいて取得するネット色彩度差値Ｗ３より初期測定ステップにおいて取得するネット色彩度差値Ｗ１を差し引いてから、ネット色彩度差値Ｗ１によって割り、偏光板等級付け指数Ｑ＝（Ｗ３−Ｗ１）／Ｗ１を取得することによって偏光板を等級付けするステップ（Ｆ）と、
を少なくとも有する偏光板の等級付け方法を提供する。
【発明の効果】
【００１３】
本発明によれば、偏光板の温度変化（気候耐久試験）した後に色彩度差値を測定し、偏光板の初期状態の色彩度差値を引いて得た正味の色彩度差値を偏光板の初期状態の色彩度差値にて割り、その取得した数値を偏光板の等級付けとするようにしたので、標準化された偏光板の等級付け設定を容易に行うことができる
【００１４】
本発明の他の目的およびその更なる多くの優れた特徴は、以下に記載する実施形態の詳細な説明と添付図面とによってに完全に開示される。
【発明を実施するための最良の形態】
【００１５】
本発明の実施形態を図面と伴に下記のように詳しく開示する。これら図面に示される部材については全てが実際の寸法に基づいて作成されたというわけではなく、ある寸法とその該当する部分の関連する仕様の比例が誇張的に開示されているのもあるが、このようにアピールすることによって関連分野の技術者に本発明を明瞭に納得させるものである。
【実施例１】
【００１６】
図３の（Ａ）および（Ｂ）、図４の（Ａ）および（Ｂ）に示すものは、それぞれ本発明の実施例１における形態で測定して得た２つのサンプルの色彩度差の分布を示す説明図であり、、図５は本発明の実施例１における形態の動作手順を示すフローチャートである。
【００１７】
図３の（Ａ）と図４の（Ａ）と図３の（Ｂ）と図４の（Ｂ）における横軸と縦軸は、それぞれ偏光板の面積と距離を測定して得た数値と色彩度値とを示すものであり、これら図３の（Ａ）と図４の（Ａ）と図３の（Ｂ）と図４の（Ｂ）各々は、それぞれ異なる条件下での２つのサンプルの色彩差の分布状態を示す説明図である。
【００１８】
即ち、図３の（Ａ）および（Ｂ）に示すものは、第１条件下（２５℃で０時間）でのサンプルＡとサンプルＢとの色彩度差の分布の様子を示す説明図であり、また、図４の（Ａ）および（Ｂ）に示すものは、第２条件下（８０℃で２４時間）でのサンプルＡとサンプルＢとの色彩度差の分布を示す説明図である。
【００１９】
図５に示すフローチャートのステップＳ３００において、まず、偏光板３００を提供し、偏光板３００上で第１の測定範囲Ａ１を選出する。本実施例１においては、第１の測定範囲Ａ１の面積は偏光板３００の面積に等しい。
【００２０】
次に、ステップＳ３１０において、偏光板３００に対し初期測定を実行し、Ｘ１℃の下で偏光板３００をＹ１時間放置し、その後、前記第１の測定範囲Ａ１を再度測定することによって、最大の色彩度値Ｚ１ｍａｘ（ルクス）と最小の色彩度値Ｚ１ｍｉｎを取得し、両者間で減算を行った後、正味の（ｎｅｔ）の色彩度差値Ｗ１＝Ｚ１ｍａｘ−Ｚ１ｍｉｎを獲得する。Ｘ１は当地の室温に設定されるもので、本実施例１においては、２５℃に設定してある。また、Ｙ１は、０〜２４時間に設定することができる。この実施例１では、０時間を選択している（なお、前記ステップＳ３１０についての詳細は、図３の（Ａ）および（Ｂ）に示す説明図を参照されたい）。
【００２１】
更に、ステップＳ３２０において、偏光板３００に対し温度変化測定を実行し、Ｘ２℃（Ｘ２≠Ｘ１）の下で、偏光板３００をＹ２時間放置した後に、前記第１の測定範囲Ａ１を測定することによって最大色彩度値Ｚ２ｍａｘと最小色彩度値Ｚ２ｍｉｎと取得し、両者間で減算を行った後に、正味の色彩度差値Ｗ２＝Ｚ２ｍａｘ−Ｚ２ｍｉｎを取得する。Ｘ２は６０〜１２０℃に設定されもので、本実施例１においては８０℃に設定してある。また、Ｙ２は、１〜１６８時間に設定することができる。本実施例１においては、２４時間に設定されている（前記ステップＳ３２０についての詳細は、図４の（Ａ）および（Ｂ）に示す説明図を参照されたい）。
【００２２】
次のステップＳ３３０においては、温度変化測定ステップＳ３２０において得られた正味の色彩度差値Ｗ２から初期測定ステップＳ３１０で得られた正味の色彩度差値Ｗ１を差し引いてから、正味の色彩度差値Ｗ１によって割ることで、偏光板３００の等級付け指数Ｑ＝（Ｗ２−Ｗ１）／Ｗ１を取得する。この等級付け指数Ｑ値の大きさにしたがって、偏光板３００は等級付けされるようになる
【００２３】
また、前記温度変化測定ステップＳ３２０では、複数の温度変化過程を含むようにしてもよい。例えば、２５℃から４５℃まで加熱してから、８時間ぐらい所定温度に保持したり、また、４５℃から６５℃まで加熱してから、８時間ぐらい所定温度に保持してもよいし、或いはまた、６５℃から８０℃に加熱してから、８時間ぐらい所定温度に保持するようにしてもよい。
【実施例２】
【００２４】
図６の（Ａ−１）〜（Ａ−３）、図７の（Ｂ−１）〜（−３）、図８の（Ｃ−１）〜（Ｃ−３）はそれぞれ、本発明の実施例２で測定して得た３つのサンプルの色彩度差の分布を示す説明図であり、図９は、本発明の実施例２における動作手順を示すフローチャートである。
【００２５】
図６の（Ａ−１），（Ａ−２），（Ａ−３）、図７の（Ｂ−１），（Ｂ−２），（Ｂ−３）、図８の（Ｃ−１），（Ｃ−２），（Ｃ−３）における横軸と縦軸は、それぞれ偏光板の面積と距離を測定して得た数値と色彩度値とを示すものであり、これら図６，図７，図８の各図は、それぞれ異なる条件下での３つのサンプル色彩差分布状態を示す説明図である。
【００２６】
即ち、図６の（Ａ−１），（Ａ−２），（Ａ−３）に示すものは、条件Ａ（２５℃と０時間）の下でのサンプル１とサンプル２とサンプル３との色彩度差の分布の様子を示す説明図であり、また、図７の（Ｂ−１），（Ｂ−２），（Ｂ−３）に示すものは、条件Ｂ（８０℃と２４時間）の下でのサンプル１とサンプル２とサンプル３の色彩度差の分布を示す説明図である。また、図８の（Ｃ−１），（Ｃ−２），（Ｃ−３）に示すのは、条件Ｃ（２５０℃と２４時間）の下でのサンプル１とサンプル２とサンプル３の色彩度差の分布を示す説明図である。
【００２７】
まず、図９に示すフローチャートのステップＳ４００において、偏光板４００を提供し、偏光板４００上で第１の測定範囲Ａ１を選出する。本実施例２の第１の測定範囲Ａ１の面積は偏光板４００の面積に等しい。
【００２８】
次のステップＳ４１０において、偏光板４００に対し初期測定を実行し、Ｘ１℃の下で、偏光板４００をＹ１時間放置し、その後、前記第１の測定範囲Ａ１を測定することによって、最大の色彩度値Ｚ１ｍａｘ（ルクス）と最小の色彩度値Ｚ１ｍｉｎを取得し、両者間で減算を行った後に、正味の（ｎｅｔ）色彩度差値Ｗ１＝Ｚ１ｍａｘ−Ｚ１ｍｉｎを獲得する。当地の室温に設定されるもので、本実施例２においては、２５℃に設定してある。また、Ｙ１は０〜２４時間に設定されるもので。本実施例２では、０時間を選択している（前記ステップＳ４１０についての詳細は、  図６の（Ａ−１），（Ａ−２），（Ａ−３）示す説明図を参照されたい）。
【００２９】
また、図９のステップＳ４２０において、偏光板４００に対し温度変化測定を実行し、Ｘ２℃（Ｘ２≠Ｘ１）の下で、偏光板４００をＹ２時間放置する。この場合、Ｘ２は６０〜１２０℃に設定されるが、本実施例２においては８０℃に設定されている。また、Ｙ２は１〜１６８時間に設定することができ。この実施例では、２４時間に設定してある（これらのステップＳ４２０についての詳細は、図７の（Ｂ−１），（Ｂ−２），（Ｂ−３）に示す説明図を参照されたい）。
【００３０】
次のステップＳ４３０において、偏光板４００に対し復元測定を実行し、Ｘ３℃の下で、偏光板４００をＹ３時間放置した後に、前記第１の測定範囲Ａ１を再度測定することによって最大色彩度値Ｚ３ｍａｘと最小色彩度値Ｚ３ｍｉｎと取得し、両者間で減算を行った後に、ネットの色彩度差値Ｗ３＝Ｚ３ｍａｘ−Ｚ３ｍｉｎを取得する。Ｘ３は当地の室温に設定するが、この実施例は２５℃に設定されている。また、Ｙ３は０~２４時間に設定でき。本実施例２においては、２４時間に設定してある（前記ステップＳ４３０についての詳細は、図８の（Ｃ−１），（Ｃ−２），（Ｃ−３）に示す説明図を参照されたい）。
【００３１】
更に次のステップＳ４４０において、復元測定ステップＳ４３０で得られた正味の色彩度差値Ｗ３から初期測定ステップＳ４１０で得られた正味の色彩度差値Ｗ１を差し引いて、その数値をネットの色彩度差値Ｗ１で割算し、偏光板４００の等級付け指数Ｑ＝（Ｗ３−Ｗ１）／Ｗ１を取得する。この等級付け指数Ｑ値の大きさにしたがって、偏光板３００は等級付けされるようになる
【００３２】
また、前記温度変化測定ステップＳ４２０では、複数の温度変化過程を含むようにしてもよい。例えば、２５℃から４５℃まで加熱してから、８時間ぐらい所定温度に保持してもよいし、４５℃から６５℃まで加熱してから、８時間ぐらい所定温度に保持することもでき、或いは、６５℃から８０℃に加熱してから、８時間ぐらい所定温度に保持するようにしてもよい。
【産業上の利用可能性】
【００３３】
本発明について上述のように複数個の優れた実施態様を開示したが、本発明はこれら実施形態に限定されるものではなく、当該分野における技術者であれば本発明の要旨と特許請求の範囲内で種々の変更や修正を実施できるものであり、本発明は添付した特許請求の範囲によってのみ限定されることは言うまでもない。
【図面の簡単な説明】
【００３４】
【図１】（Ａ）および（Ｂ）は、従来の液晶と偏光板がそれぞれ異なる明るさの効果を呈する場合を示す説明図である。
【図２】従来の偏光板の縁部の色彩度の不均一の状況を示す説明図である。
【図３】（Ａ）および（Ｂ）は、本発明の実施例１における、第１条件下での２つのサンプルの色彩度差分布状態を示す説明図である。
【図４】（Ａ）および（Ｂ）は、本発明の実施例１における、第２条件下での２つのサンプルの色彩度差分布状態を示す説明図である。
【図５】本発明の実施例１における偏光板等級付け方法の動作手順を示すフローチャートである。
【図６】（Ａ−１），（Ａ−２），（Ａ−３）は、本発明の実施例２における、条件Ａの下での３つのサンプルの色彩度分布状態を示す説明図である。
【図７】（Ｂ−１），（Ｂ−２），（Ｂ−３）は、本発明の実施例２における、条件Ｂの下での３つのサンプルの色彩度分布状態を示す説明図である。
【図８】（Ｃ−１），（Ｃ−２），（Ｃ−３）は、本発明の実施例２における、条件Ｃの下での３つのサンプルの色彩度分布状態を示す説明図である。
【図９】本発明の実施例２における偏光板等級付け方法の動作手順を示すフローチャートである。
【符号の説明】
【００３５】
１０      偏光板
２０      液晶
３００    偏光板
４００    偏光板
Ｘ        温度
Ｙ        時間
Ｚｍａｘ  最大色彩度値
Ｚｍｉｎ  最小色彩度値
Ｗ        ネットの色彩度差値
Ｑ        偏光板等級付け指数  
【図１】
2005258396.tif 000003
【図２】
2005258396.tif 000004
【図３】
2005258396.tif 000005
【図４】
2005258396.tif 000006
【図５】
2005258396.tif 000007
【図６】
2005258396.tif 000008
【図７】
2005258396.tif 000009
【図８】
2005258396.tif 000010
【図９】
2005258396.tif 000011